(57)【要約】【課題】総合放送サービス（ＩＳＤＢ）上で、予約録画、及びデジタルテレビ番組表のダウンロード機能が実行できる二段式電源制御を具えた液晶テレビ装置を提供する。【解決手段】本発明は二段式電源制御を具えた液晶テレビ装置において、電源供給装置、マイクロ制御板、ＩＳＤＢ制御板を含む。電源供給装置は液晶テレビ装置に必要な電源を供給する。マイクロ制御板は、触発コネクタを設置し、且つ電源供給装置と電気連接する。ＩＳＤＢ制御板は、マイクロ制御板と電気連接し、且つマイクロ制御板の触発コネクタを触発して予め設定した電位を発送する。そのうち、マイクロ制御板をオフにして、セーブモジュールへ進み、電源の消費を節約する時、例としてマイクロ制御板の触発制御脚が触発された時、マイクロ制御板は待機モジュールへ進む。これによって、総合放送サービス（ＩＳＤＢ）上で、予約録画、及びデジタルテレビ番組表のダウンロード機能が実行できる。【選択図】図１
2007166575.tif 000002
【特許請求の範囲】
【請求項１】
主に電源供給装置、マイクロ制御板、ＩＳＤＢ制御板から構成された二段式電源制御を具えた液晶テレビ装置において、
液晶テレビ装置が必要とする電源を提供する電源供給装置と、
触発コネクタを具え、且つ電源供給装置と電気連接するマイクロ制御板と、
マイクロ制御板と電気連接し、且つマイクロ制御板の触発コネクタを触発して予め設定した電位を発送するＩＳＤＢ制御板を含み、
そのうち、マイクロ制御板をオフにしてセーブモジュールへ進み、電源の消耗を節約する時、例としてマイクロ制御板の触発コネクタが触発された時、マイクロ制御板は待機モジュールへ進むことを特徴とする二段式電源制御を具えた液晶テレビ装置。
【請求項２】
請求項１記載の二段式電源制御を具えた液晶テレビ装置において、前記ＩＳＤＢ制御板は、更にタイマーを含むことを特徴とする二段式電源制御を具えた液晶テレビ装置。
【請求項３】
請求項２記載の二段式電源制御を具えた液晶テレビ装置において、前記ＩＳＤＢ制御板のタイマーは、設定時間が終了すると、ＩＳＤＢ制御板が予め設定した電位をマイクロ制御板の触発コネクタへ発送することを特徴とする二段式電源制御を具えた液晶テレビ装置。
【請求項４】
請求項１記載の二段式電源制御を具えた液晶テレビ装置において、前記ＩＳＤＢ制御板は、ＲＳ−２３２インターフェイスを通じてマイクロ制御板へ連接することを特徴とする二段式電源制御を具えた液晶テレビ装置。
【請求項５】
請求項３記載の二段式電源制御を具えた液晶テレビ装置において、前記ＲＳ−２３２インターフェイスは、レシーバー（Ｒｘ）、伝送ポート(Ｔｘ)、及び信号制御ポートを含むことを特徴とする二段式電源制御を具えた液晶テレビ装置。
【請求項６】
請求項１記載の二段式電源制御を具えた液晶テレビ装置において、前記マイクロ制御板は、その操作モジュールにオンモジュール、待機モジュール、セーブモジュールを含むことを特徴とする二段式電源制御を具えた液晶テレビ装置。
【請求項７】
請求項１記載の二段式電源制御を具えた液晶テレビ装置において、前記液晶テレビ装置は、更にリモコン器を含むことを特徴とする二段式電源制御を具えた液晶テレビ装置。
【請求項８】
請求項１記載の二段式電源制御を具えた液晶テレビ装置において、前記液晶テレビ装置は、更にサーバーを含み、このサーバーはマイクロ制御板に電気連接することを特徴とする二段式電源制御を具えた液晶テレビ装置。
【請求項９】
請求項１記載の二段式電源制御を具えた液晶テレビ装置において、前記予め設定した電位は、正電位であることを特徴とする二段式電源制御を具えた液晶テレビ装置。
【発明の詳細な説明】
【技術分野】
【０００１】
本発明は、一種の総合放送サービス（ＩＳＤＢ）システムの液晶テレビ装置に関するもので、特に二段式電源制御を具えた総合放送サービスシステムの液晶テレビ装置に関するものである。
【背景技術】
【０００２】
総合放送サービス（Integrated Services Digital Broadcasting,ＩＳＤＢ）は、日本放送協会（ＮＨＫ）の放送技術研究所(Science & Technical Research Laboratories、ＳＴＲＬ)が1994年に開発した完全デジタル化のテレビ放送システムである。そのうち、番組の内容の制作、編集、伝送及び受信等の過程すべてがデジタル化している。この総合放送サービス（ＩＳＤＢ）は、多重チャンネルテレビ番組、マルチメディアサービス及びその他文字映像等を含むデータの放送システムである。
【０００３】
総合放送サービス（ＩＳＤＢ）の発展は主に、21世紀のデジタル化放送とマルチメディアの時代に対応し、総合放送サービス（ＩＳＤＢ）が使用するＭＰＥＧ−２デジタル信号圧縮コーディングとマルチ工業技術によって、衛星や有線、地上無線等異なる伝送メディア放送を通すことができる。現在の成果として、地上放送のＩＳＤＢーＴシステムがある。このＩＳＤＢ−Ｔシステムは、1997年11月12日から14日正式に公開され、1998年11月11日東京地区に於いて、試験放送が開始された。これは、現行のＮＴＳＣアナログテレビシステムと同じ６ＭＨｚバンド幅、及び525本の連続式スキャン(Progressive Scanning)の映像フォーマットを使用し、高画質テレビ（ＨＤＴＶ）番組を放送するだけでなく、二重映像防止と受信移動の機能が現行のアナログテレビシステムよりはるかに勝っており、日本では2003年に地上デジタル放送を正式に開始し、遅くとも2012年にはアナログテレビ放送を終了する予定である。
【０００４】
前述の全デジタル化テレビの潮流に対応するため、液晶テレビ（ＬＣＤ  ＴＶ）にＩＳＤＢ制御板を整合してデジタルテレビ機能を高めることが重要なポイントである。一般の液晶テレビの電源制御はただ機械の電源のオンとオフ二種の状態しかない。つまり液晶テレビを消した時、セーブ（power saving）状態に入り、反対に液晶テレビをつけた時は、オンの状態に入る。しかしＩＳＤＢはセーブ状態で自動的に予約録画動作やデータのダウンロード動作を実行できない。このためＩＳＤＢを液晶テレビに整合しても、液晶テレビがオフ状態の場合、自動的に予約録画やデータダウンロードの機能が実行できない。このように公知の液晶テレビにはまだ数々の欠点があり、改善が必要である。
【発明の開示】
【発明が解決しようとする課題】
【０００５】
本発明の主な目的は、二段式電源制御を具えた液晶テレビ装置を提供することによって、総合放送サービス（ＩＳＤＢ）上で、予約録画、及びデジタルテレビ番組表のダウンロード機能が実行できる。
【０００６】
本発明の特色として、二段式電源制御を具えた液晶テレビ装置を提出し、それは電源供給装置、マイクロ制御板、ＩＳＤＢ制御板を含む。電源供給装置は液晶テレビ装置に必要な電源を供給する。マイクロ制御板は、触発コネクタを設置し、且つ電源供給装置と電気連接する。ＩＳＤＢ制御板は、マイクロ制御板と電気連接し、且つマイクロ制御板の触発コネクタを触発して予め設定した電位を発送する。
【０００７】
そのうち、マイクロ制御板をオフにして、セーブモジュールへ進み、電源の消費を節約する時、例としてマイクロ制御板の触発制御脚が触発された時、マイクロ制御板は待機モジュールへ進む。
【０００８】
上述のマイクロ制御板の操作モジュールは、オンモジュール、待機モジュール、セーブモジュールを含む。これによって、オンモジュールの時にはテレビを観賞し、待機モジュールの時には、予約録画もしくはデジタル番組情報をダウンロードできる。またセーブモジュールの時には、電源の消耗を節約する。
【０００９】
更にＩＳＤＢ制御板には、更にタイマーが含まれる。これによって、ユーザーはこのタイマーで、予約録画、もしくはデジタル番組情報のダウンロード機能を実行することを可能にする。
【課題を解決するための手段】
【００１０】
請求項１の発明は、主に電源供給装置、マイクロ制御板、ＩＳＤＢ制御板から構成された二段式電源制御を具えた液晶テレビ装置において、
液晶テレビ装置が必要とする電源を提供する電源供給装置と、
触発コネクタを具え、且つ電源供給装置と電気連接するマイクロ制御板と、
マイクロ制御板と電気連接し、且つマイクロ制御板の触発コネクタを触発して予め設定した電位を発送するＩＳＤＢ制御板を含み、
そのうち、マイクロ制御板をオフにしてセーブモジュールへ進み、電源の消耗を節約する時、例としてマイクロ制御板の触発コネクタが触発された時、マイクロ制御板は待機モジュールへ進むことを特徴とする二段式電源制御を具えた液晶テレビ装置としている。
請求項２の発明は、請求項１記載の二段式電源制御を具えた液晶テレビ装置において、前記ＩＳＤＢ制御板は、更にタイマーを含むことを特徴とする二段式電源制御を具えた液晶テレビ装置としている。
請求項３の発明は、請求項２記載の二段式電源制御を具えた液晶テレビ装置において、前記ＩＳＤＢ制御板のタイマーは、設定時間が終了すると、ＩＳＤＢ制御板が予め設定した電位をマイクロ制御板の触発コネクタへ発送することを特徴とする二段式電源制御を具えた液晶テレビ装置としている。
請求項４の発明は、請求項１記載の二段式電源制御を具えた液晶テレビ装置において、前記ＩＳＤＢ制御板は、ＲＳ−２３２インターフェイスを通じてマイクロ制御板へ連接することを特徴とする二段式電源制御を具えた液晶テレビ装置としている。
請求項５の発明は、請求項３記載の二段式電源制御を具えた液晶テレビ装置において、前記ＲＳ−２３２インターフェイスは、レシーバー（Ｒｘ）、伝送ポート(Ｔｘ)、及び信号制御ポートを含むことを特徴とする二段式電源制御を具えた液晶テレビ装置としている。
請求項６の発明は、請求項１記載の二段式電源制御を具えた液晶テレビ装置において、前記マイクロ制御板は、その操作モジュールにオンモジュール、待機モジュール、セーブモジュールを含むことを特徴とする二段式電源制御を具えた液晶テレビ装置としている。
請求項７の発明は、請求項１記載の二段式電源制御を具えた液晶テレビ装置において、前記液晶テレビ装置は、更にリモコン器を含むことを特徴とする二段式電源制御を具えた液晶テレビ装置としている。
請求項８の発明は、請求項１記載の二段式電源制御を具えた液晶テレビ装置において、前記液晶テレビ装置は、更にサーバーを含み、このサーバーはマイクロ制御板に電気連接することを特徴とする二段式電源制御を具えた液晶テレビ装置としている。
請求項９の発明は、請求項１記載の二段式電源制御を具えた液晶テレビ装置において、前記予め設定した電位は、正電位であることを特徴とする二段式電源制御を具えた液晶テレビ装置としている。
【発明の効果】
【００１１】
本発明の二段式電源制御を具えた液晶テレビ装置は、総合放送サービス（ＩＳＤＢ）上で、予約録画、及びデジタルテレビ番組表のダウンロードが実行できるという利点がある。
【発明を実施するための最良の形態】
【００１２】
図１、図２に示すとおり、液晶テレビ装置１は、電源供給装置１１、マイクロ制御板１２、ＩＳＤＢ制御板１３、リモコン器１４及びサーバー１５を含む。本実施例中、液晶テレビ装置１はＤＶＤビデオレコーダー３と合わせて使用する。そのうち、ＤＶＤビデオレコーダー３は、サーバー３１を含む。
【００１３】
図１に示すとおり、電源供給装置１１は、液晶テレビ装置１が必要とする電源である。マイクロ制御板１２は触発コネクタ１２１及びＲＳ−２３２インターフェイス１２２を具える。またマイクロ制御板１２は、電源供給装置１１と電気接続する。ＲＳ−２３２インターフェイス１２２は、サーバー１２３（Ｒｘ）、伝送ポート１２４（Ｔｘ）、及び信号制御ポート１２５を含む。本発明中、マイクロ制御板１２の操作モジュールは、オンモジュール、待機モジュール、セーブモジュールを含む。
【００１４】
本発明中、ＩＳＤＢ制御板１３は、マイクロ制御板１２へ電気連接し、且つ制御板１２の触発コネクタ１２１を触発して予め設定した電位を発送する。ＩＳＤＢ制御板１３はタイマー１３１、ＲＳ−２３２インターフェイス１３２を含み、このＲＳ−２３２インターフェイス１３２には、レシーバー１３３、伝送ポート子１３４、信号制御ポート１３５が設置され、ＩＳＤＢ制御板１３は、ＲＳ−２３２インターフェイス１３２を通してマイクロ制御板１２に連接する。そのうち、マイクロ制御板１２のレシーバー１２３のレシーバー１２３は、ＩＳＤＢ制御板１３の伝送ポート１３４に連接する。マイクロ制御板１２の伝送ポート１２４は、ＩＳＤＢ制御板１３のレシーバー１３３に連接し、マイクロ制御板１２の信号制御ポート１２５はＩＳＤＢ制御板１３の信号制御ポート１３５に連接する。リモコン器１４は、無線で液晶テレビ装置１のマイクロ制御板１２の動作を制御する。サーバー１５は、マイクロ制御板１２と電気連接する。
【００１５】
図３に示すのは、本発明実施例のフローチャートである。先ず、ＩＳＤＢ制御板１３のタイマー１３１を設定し、更に液晶テレビ装置１をオフ状態にする。マイクロ制御板１２はセーブモジュールへ進み、電源の消費を節約する。ユーザーがＩＳＤＢ制御板１３のタイマー１３１を設定し、そのタイマー１３１が終了すると、ＩＳＤＢ制御板１３は予め設定した電位をマイクロ制御板１２の触発コネクタ１２１に発送し、更にマイクロ制御板１２の触発コネクタ１２１を触発し、マイクロ制御板１２の触発コネクタ１２１を触発すると、マイクロ制御板１２は待機モジュールへ進む。更にＩＳＤＢ制御板１３は番組データをＲＳ−２３２インターフェイス１３２経由でマイクロ制御板１２へ伝送し、続いてサーバー１５からＤＶＤビデオレコーダー３のレシーバー３１へ出力する。また番組データをＤＶＤビデオレコーダー３へ発送して録画を選択するか、もしくはデジタルテレビ番組表をダウンロードする。本実施例中、ＩＳＤＢ制御板１３がマイクロ制御板１２の触発コネクタ１２１へ発送する設定電位は、正電位である。
【００１６】
上述中、マイクロ制御板１２の動作が待機モジュールの時に、リモコン器１４が電源を始動すると、マイクロ制御板１２は即座にオンモジュールに入り、液晶テレビ装置１は正常にテレビ番組を視聴できる。
【図面の簡単な説明】
【００１７】
【図１】本発明の実施例システムアーキテクチャー図である。
【図２】本発明の実施例の指示図である。
【図３】本発明の実施例のフローチャートである。
【符号の説明】
【００１８】
１        液晶テレビ装置
１１        電源供給装置
１２        マイクロ制御板
１２１        触発コネクタ
１２２        ＲＳ−２３２インターフェイス
１２３        レシーバー
１２４        伝送ポート
１２５        信号制御ポート
１３        ＩＳＤＢ制御板
１３１        タイマー
１３３        レシーバー
１３５        信号制御ポート
１４        リモコン器
１５        サーバー
３        ＤＶＤビデオレコーダー
３１        レシーバー
【図１】
2007166575.tif 000003
【図２】
2007166575.tif 000004
【図３】
2007166575.tif 000005